(57)【特許請求の範囲】
【請求項１】
開き扉の戸枠に設けられる戸当たり部材であって、
戸枠に固定される固定面と、該固定面に対して垂直に設けられた戸当たり面と、前記固定面の外縁から前記戸当たり面の下端部に向けて傾斜した傾斜面と、を有した外郭とされ、弾性を有する硬質の樹脂材料によって形成された成型体からなり、
前記成型体の内方には、前記戸当たり面の内面側と前記傾斜面の内面側との間に架け渡すように前記戸当たり面に対して垂直に形成された複数のリブ片が設けられ、
前記戸当たり面には、前記リブ片と対応する位置に戸当たり突部が設けられていることを特徴とする戸当たり部材。
【請求項２】
請求項１において
前記固定面には、戸枠側に突出して形成されたダボ部が設けられており、
前記ダボ部には、固定具を貫通させる貫通孔が形成されていることを特徴とする戸当たり部材。
【発明の詳細な説明】
【技術分野】
【０００１】
本発明は、開き扉の戸枠に設けられる戸当たり部材に関する。
【背景技術】
【０００２】
従来より、クローゼットなどの収納空間や収納キャビネットなどの開口に取り付けられた開き扉の戸枠に戸当たり部材を設け、この戸当たり部材によって扉を閉めた際に扉がいきすぎないように規制したものが知られている。
このように戸枠に戸当たり部材を設けた場合、扉を閉めた際に戸当たり部材に扉が当たるため、扉を閉める度に衝撃音が生じる。
そこで扉を開閉自在にする蝶番や戸枠側にダンパー部品を取り付けたり、戸当たり部材の戸当たり面や扉の裏面にゴム材やフェルト材などのクッション材を貼り付けることなどして戸当たり部材への衝撃を和らげることがなされている。
【０００３】
例えば、このような戸当たり部材として下記特許文献１には、略直方形の緩衝装置本体に閉められた扉を受け止める複数のピストンが設けられたものが開示されている。このピストンには緩衝用バネが内蔵されており、その先端にはマグネット片が設けられている。そして扉側に設けられたマグネット片とピストンの先端に設けられたマグネット片とが扉が閉められると磁力によってくっつくように構成されている。
これによれば、勢いよく扉が閉められても、緩衝用バネによって戸当たり部材への衝撃を和らげ、扉を閉じる際の生じる衝撃音の発生を防ぐことができるとされている。
【０００４】
また、下記特許文献２には、ゴム等のクッション材からなる戸当たり部材が開示されており、ここにはキャビネット本体における天板の前端面に形成されたレール状の凹溝に嵌め込んで取り付けられる戸当たり部材が記載されている。
これによれば、戸当たり部材がクッション材からなるので、扉の当たる衝撃を吸収することができ、また戸当たり部材を少ない部品点数で構成することができる。さらに凹溝に嵌め込むだけでよいので、取り付けが容易である。
【先行技術文献】
【特許文献】
【０００５】
【特許文献１】特開平１０−１４０９２７号公報
【特許文献２】特開２０００−８７３０号公報
【発明の概要】
【発明が解決しようとする課題】
【０００６】
しかしながら、上記特許文献１に記載のものは、複数のピストンに緩衝用バネが内蔵されるなど機構が複雑で、またピストンの先端にはマグネット片などを取り付ける必要があるため、部品点数が増えてしまう。
上記特許文献２に記載のものは、ゴム等のクッション材からなるので、変形しやすく経年劣化でクッション性が衰えてしまうおそれがある。またこの戸当たり部材を嵌め入れるためにキャビネット本体の天板の前端面に、予めレール状の凹溝を形成しておく必要がある。
【０００７】
本発明は、上記実情に鑑みなされたものであり、簡易な構成でありながら、扉を閉める際の音を小さくすることができる戸当たり部材を提供することを目的とする。
【課題を解決するための手段】
【０００８】
本発明に係る戸当たり部材は、開き扉の戸枠に設けられる戸当たり部材であって、戸枠に固定される固定面と、該固定面に対して垂直に設けられた戸当たり面と、前記固定面の外縁から前記戸当たり面の下端部に向けて傾斜した傾斜面と、を有した外郭とされ、弾性を有する硬質の樹脂材料によって形成された成型体からなり、前記成型体の内方には、前記戸当たり面の内面側と前記傾斜面の内面側との間に架け渡すように前記戸当たり面に対して垂直に形成された複数のリブ片が設けられ、前記戸当たり面には、前記リブ片と対応する位置に戸当たり突部が設けられていることを特徴とする。
【０００９】
本発明において、前記固定面には、戸枠側に突出して形成されたダボ部が設けられており、前記ダボ部には、固定具を貫通させる貫通孔が形成されているものとしてもよい。
【発明の効果】
【００１２】
本発明に係る戸当たり部材によれば、簡易な構成でありながら、扉を閉める際の音を小さくすることができる。
【図面の簡単な説明】
【００１３】
【図１】（ａ）及び（ｂ）は本発明の一実施形態に係る戸当たり部材を模式的に示した図であり、（ａ）は戸当たり部材を戸当たり面側からみた全体斜視図、（ｂ）は戸当たり部材を傾斜面側からみた全体斜視図ある。
【図２】同戸当たり部材が戸枠に設けられた状態を説明するための概略部分正面図である。
【図３】図２におけるＸ−Ｘ線矢視断面図である。
【発明を実施するための形態】
【００１４】
以下に本発明における実施の形態について、図１〜図３に基づいて説明する。
本実施形態では、住居等の内壁１３（図３参照）に開設された開口部１２に取り付けられた戸枠９に、戸当たり部材１が設けられた例を説明する。
またここでは、２枚の扉１１，１１によって開閉される開口部１２の奥側の空間は、ものを収納しておく収納空間となっている例について説明するが、これに限定されるものではなく、隣室空間であってもよい。
【００１５】
戸当たり部材１は、図１（ａ）及び（ｂ）に示すように、戸枠９に固定される固定面２と、固定面２に対して垂直に設けられた戸当たり面３と、固定面２の外縁２ａから戸当たり面３の下端部３ａに向けて傾斜した傾斜面４を有した外郭とを備えている。戸当たり部材１は、ポリエチレンなどの弾性を有する硬質の樹脂材料によって形成された成型体１０からなり、扉１１，１１が閉められた際の衝撃を吸収できるものが用いられることが望ましい。
【００１６】
図２に示すように、戸枠９は、開口部１２の上部横方向に配される上横枠９０と、開口部１２の左右縦方向に配される縦枠９１とで構成されている。
戸当たり部材１は、上横枠９０の長手方向略中央に設けられており、扉１１を閉じた際に２枚の扉１１の裏面上端の角部とその近傍に戸当たり部材１の戸当たり面３が当たるように上横枠９０から突出した状態に取り付けられる。
また戸当たり部材１は、閉められた扉１１，１１が戸当たり面３に当接した状態で、開口部１２内に収まり、図３に示すように内壁１３の前面位置より扉１１，１１の表面が突出しない位置に設置される。
なお、戸枠９は上述の３方枠に限らず、下横枠（不図示）を備えた４方枠であってもよく、戸当たり部材１は下横枠から突出した状態に取り付けられるものとしてもよい。
【００１７】
扉１１，１１は、正面視して略長方形状の板体よりなり、開口部１２を閉塞または開放する扉とされており、開口部１２の左右に配された縦枠９１，９１に設けられた蝶番（不図示）によって、開口部１２を閉塞または開放するように開閉自在に取り付けられている。
【００１８】
上横枠９０に対面して固定される固定面２には、好ましくは上横枠９０側に突出して形成された円筒状のダボ部７が設けられおり、ダボ部７を除いた面は、上横枠９０の下面に沿って固定配置されるように平坦に形成されている。図１（ｂ）に示すようにダボ部７は、固定面２の両端部に且つ上横枠９０への取付状態において固定面２の奥側角部に設けられており、ダボ部７には、固定具８を貫通させる貫通孔７０が形成されている。
そしてこの場合、図２に示すように上横枠９０には、ダボ部７が嵌め入れられる円筒有底のダボ穴９０ａが形成されている。
戸当たり部材１を上横枠９０に固定する固定具８は、特に限定するものではないが、タッピンねじなどのねじ部材を用いることができる。
ダボ穴９０ａは、ダボ部７の構成に応じて形成すればよく、例えば図例のものはダボ部７が固定面２の両端部から２つ突出して形成されているので、これに合わせて上横枠９０にも２つのダボ穴９０ａを形成されている。
【００１９】
これによれば、従来のように上横枠９０の長手方向に沿ってレール状に凹溝を形成することなく、戸当たり部材１のダボ部７が形成されている位置に合わせてダボ穴９０ａを加工形成すればよい。よって上横枠９０側への加工が少ないものとすることができる。
またダボ穴９０ａにダボ部７を嵌め入れれば戸当たり部材１を適正な位置に取り付けることができるので、戸当たり部材１の取付位置の位置決めがし易い。
【００２０】
戸当たり面３には、好ましくは、戸当たり部材１の取付状態において縦方向に細長い筋状に形成された戸当たり突部３２が複数設けられており、戸当たり突部３２を除いた面は、固定面２に対して垂直な平坦面をなしている。
図１（ｂ）における戸当たり突部３２の横断面形状は特に限定されるものではないが、角部を面取りしてもよい。
【００２１】
成型体１０の固定面２及び戸当たり面３以外の外郭の形状は、固定面２の外縁２ａから戸当たり面３の下端部３ａに向けて傾斜した傾斜面４を備えていればよく、その他の外郭形状は特に限定するものではない。
例えば図１（ｂ）に示すように固定面２と対向する位置には、固定面２より小さい面積を有する正面視して略長方形の底面６を形成してもよい。このとき、底面６は上横枠９０への取付状態において、床面と略並行となる。また、戸当たり面３及び傾斜面４を除く側面を固定面２の外縁２ａから底面６の端部に向かって傾斜した側部傾斜面５としてもよい。
これによれば、図２に示すように戸当たり部材１を戸当たり面３側見ると下方角部が傾斜しており、収納空間からものを出し入れする際にものの出し入れがしやすくなり、見栄えもよい。
また図３に示すように傾斜面４が形成されていることにより、上横枠９０から突出して設けられる戸当たり部材１の設置スペースが矩形に形成されたものと比べて拡がるので、例えば背の高いものの出し入れがしやすくなる。
なお、図１（ｂ）に示すようにダボ部７の貫通孔７０は、側部傾斜面５の外面側からダボ部７の端部に向かって固定具８が貫通するように形成されており、側部傾斜面５には固定具８を貫通孔７０に挿通しやすくするための切欠部５０が形成されたものとしてもよい。
【００２２】
成型体１０の内方には、戸当たり面３の内面３１側と傾斜面４の内面４１側との間に架け渡すように形成された壁状のリブ片１０ａが、戸当たり面３に対して垂直に複数設けられている。
図１（ａ）に示すように、リブ片１０ａは戸当たり面３に対して垂直方向に配され、且つリブ片１０ａの上端部は、複数のリブ片１０ａの上端部によって固定面２が構成されるよう平坦に形成されている。
これによれば、閉められた扉１１，１１が当たる衝撃で戸当たり部材１が変形してしまうことを防ぐことができる。
また成型体１０は硬質の樹脂材料からなるので、戸当たり部材１を非常に軽量に構成できる。
さらに戸当たり突部３２の形成位置は、図例のようにリブ片１０ａと対応する位置やその近傍に形成してもよい。こうすれば、戸当たり突部３２に加えられた力がリブ片１０ａにより支持されるので、戸当たり部材１の変形をより効果的に防ぐことができる。
そして、図１（ｂ）に示すように成型体１０の角部が面取りされているものとすれば、ものを出し入れするときに角部にあたっても傷つきにくい。
【００２３】
このように構成された戸当たり部材１の戸枠９（上横枠９０）への固着要領を以下に説明する。
まず戸当たり部材１のダボ部７をダボ穴９０ａに嵌め入れ、取り付け位置の位置決めを行なう。次にその位置を保持した状態で、固定具８を固定面２の反対側、すなわち傾斜面４及び側部傾斜面５の外面側から貫通孔７０に挿通させる。
そして上横枠９０に向けて固定具８を螺入していけば、戸当たり部材１を上横枠９０に安定して強固に固着することができる。
【００２４】
以上の構成によれば、戸当たり部材１は、樹脂材料によって形成された成型体１０からなるので、軽量で取り扱い性がよく、扉１１，１１が閉められる際に扉１１，１１が戸当たり部材１にあたっても、その際に生じる音の軽減を図ることができる。よって従来のように戸当たり部材の戸当たり面や扉の裏面にゴム材やフェルト材などのクッション材を貼り付ける必要ない。また扉１１，１１を開閉自在にする蝶番や戸枠９側にダンパー部品を取り付けたりする必要もない。
【００２５】
以上、本実施形態では、クローゼットなどの収納空間用の扉１１，１１に適用した例を示したが、これに限られず、例えば、各種部屋の開き扉、収納戸棚の開き扉のための戸当たり部材１とすることもできる。
また、ダボ部７の形成位置、形状などは図例に限定されるものではなく、戸当たり部材１の大きさなどに応じて形成され、戸当たり突部３２やリブ片１０ａの構成も図例に限定されるものではない。
さらに扉１１，１１の形状、構成も図例に限定されず、一枚扉であってもよく、側部傾斜面５が傾斜面でなく、固定面２に対して垂直に設けられたものでもよい。
【符号の説明】
【００２６】
１      戸当たり部材
１０      成型体
１０ａ      リブ片
１１      扉
２      固定面
２ａ      外縁
３      戸当たり面
３ａ      下端部
３０      外面
３１      内面
３２      戸当たり突部
４      傾斜面
７      ダボ部
７０      貫通孔
８      固定具
９      戸枠
【図１】
0005563287.tif 000002
【図２】
0005563287.tif 000003
【図３】
0005563287.tif 000004